【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
サーバであって、
第１のデバイスから、コンテンツ識別子と、仮想オブジェクトコンテンツと、前記仮想オブジェクトコンテンツの相互作用的な特性に対応するテンプレートの選択とを受け取って、前記コンテンツ識別子、前記仮想オブジェクトコンテンツ、及び前記選択されたテンプレートに基づいて、体験コンテンツデータセットを生成するように構成されたコンテンツ作成ツールと、
前記選択されたテンプレートに対応する相互作用的な特性を生成するように構成された第２のデバイスに、前記体験コンテンツデータセットを提供するように構成された体験ジェネレータと、
を備える、サーバ。
【請求項２】
前記コンテンツ作成ツールは、
前記テンプレートを用いて、前記第１のデバイスから前記コンテンツ識別子に対する２次元画像または３次元オブジェクトモデルを受け取るように構成された物理コンテンツ生成部と、
前記テンプレートを用いて、前記第１のデバイスから前記仮想オブジェクトコンテンツに対する２次元または３次元の仮想オブジェクトモデルを受け取るように構成された仮想コンテンツ生成部と、
前記物理コンテンツ生成部からの前記コンテンツ識別子を前記仮想コンテンツ生成部からの前記仮想オブジェクトコンテンツに関連付けて前記体験コンテンツデータセットを生成するように構成された体験コンテンツデータセット生成部と、
を備える、請求項１に記載のサーバ。
【請求項３】
前記２次元または３次元の仮想オブジェクトモデルは、少なくとも１つの相互作用的な特性を有し、前記少なくとも１つの相互作用的な特性は、前記第２のデバイス上のユーザからの相互作用に応答して前記２次元または３次元の仮想オブジェクトモデルの状態を変更する、請求項２に記載のサーバ。
【請求項４】
前記仮想オブジェクトコンテンツは、前記コンテンツ識別子のリアルタイム画像と合わせて前記第２のデバイスのディスプレイに表示される追加情報を含む、請求項１に記載のサーバ。
【請求項５】
前記テンプレートは、前記第１のデバイスから、前記コンテンツ識別子、前記仮想オブジェクトコンテンツ、及び前記コンテンツ識別子に関するメタデータを受け取るように構成される、請求項１に記載のサーバ。
【請求項６】
前記体験コンテンツデータセット生成部は、
前記コンテンツ識別子の第１のフォーマットを前記コンテンツ識別子の第２のフォーマットに変換し、認識したコンテンツ識別子を前記第２のデバイスで追跡するための前記コンテンツ識別子の数学的ハッシュを生成するように構成されたフォーマットコンバータと、
前記仮想オブジェクトコンテンツの特性を判断し、他のテンプレートに関連付けられた他の相互作用的な特性に対応する前記仮想オブジェクトコンテンツの前記特性に基づいて、前記仮想オブジェクトコンテンツを前記他のテンプレートにマッピングし、前記仮想オブジェクトの前記特性に関する前記他の相互作用的な特性の表示を前記第２のデバイスに生成するように構成されたコンテンツ特性分析モジュールと、
を備える、請求項２に記載のサーバ。
【請求項７】
前記特性は、色、アニメーション、およびオブジェクトの種類の少なくとも一つを含む、請求項６に記載のサーバ。
【請求項８】
前記第２のデバイスから受け取った分析データに基づいて分析結果を生成し、前記分析結果を前記体験コンテンツデータセット生成部に提供するように構成される分析計算モジュール、
をさらに備え、
前記体験コンテンツデータセット生成部は、前記分析結果に基づいて拡張体験コンテンツデータセットを生成するように構成される、
請求項２に記載のサーバ。
【請求項９】
前記体験ジェネレータは、前記コンテンツ識別子として認識された物理オブジェクトに対する前記第２のデバイスの位置に基づいて、前記第２のデバイスのディスプレイにレンダリングすべき前記体験コンテンツデータセットを用いて仮想オブジェクトモデルを生成するように構成され、
前記第２のデバイスで撮影した前記物理オブジェクトのリアルタイム画像と関係する前記仮想オブジェクトモデルに対応する前記仮想オブジェクトを視覚化するように構成され、前記仮想オブジェクトモデルが、前記物理オブジェクトの画像と関連付けられている、
請求項１に記載のサーバ。
【請求項１０】
前記第２のデバイスで撮影した前記物理オブジェクトに対する前記第２のデバイスの姿勢の推定と、前記第２のデバイスで撮影した前記物理オブジェクトに対する前記第２のデバイスの姿勢の持続時間と、前記第２のデバイスで撮影した前記物理オブジェクトに対する前記第２のデバイスの姿勢の向きと、前記第２のデバイスで撮影した前記物理オブジェクトに対する前記第２のデバイスの姿勢の相互作用とを分析するように構成された分析計算モジュールを更に備え、
前記姿勢の推定は、前記第２のデバイスが向けられた前記物理オブジェクトまたは仮想オブジェクト上の位置を備え、
前記姿勢の持続時間は、前記物理オブジェクトまたは仮想オブジェクト上の同じ位置に前記第２のデバイスが向けられた持続時間を備え、
前記姿勢の向きは、前記物理オブジェクトまたは仮想オブジェクトに向けられた前記第２のデバイスの向きを備え、
前記姿勢の相互作用は、前記物理オブジェクトに対応する前記仮想オブジェクトに対して前記第２のデバイス上で起きる前記ユーザの相互作用を備える、
請求項１に記載のサーバ。
【請求項１１】
コンピュータ実装方法であって、
第１のデバイスから、コンテンツ識別子と、仮想オブジェクトコンテンツと、前記仮想オブジェクトコンテンツの相互作用的な特性に対応するテンプレートの選択とを受け取り、
前記コンテンツ識別子、前記仮想オブジェクトコンテンツ、及び前記選択されたテンプレートに基づいて、体験コンテンツデータセットを生成し、
前記選択されたテンプレートに対応する相互作用的な特性を生成するように構成された第２のデバイスに、前記体験コンテンツデータセットを提供する、
を備える、コンピュータ実装方法。
【請求項１２】
前記テンプレートを用いて、前記第１のデバイスから前記コンテンツ識別子に対する２次元画像または３次元オブジェクトモデルを受け取り、
前記テンプレートを用いて、前記第１のデバイスから前記仮想オブジェクトコンテンツに対する２次元または３次元の仮想オブジェクトモデルを受け取り、
前記物理コンテンツ生成部からの前記コンテンツ識別子を前記仮想コンテンツ生成部からの前記仮想オブジェクトコンテンツに関連付けて前記体験コンテンツデータセットを生成する、
をさらに備える、請求項１１に記載のコンピュータ実装方法。
【請求項１３】
前記２次元または３次元の仮想オブジェクトモデルは、少なくとも１つの相互作用的な特性を有し、前記少なくとも１つの相互作用的な特性は、前記第２のデバイス上のユーザからの相互作用に応答して前記２次元または３次元の仮想オブジェクトモデルの状態を変更する、請求項１２に記載のコンピュータ実装方法。
【請求項１４】
前記仮想オブジェクトコンテンツは、前記コンテンツ識別子のリアルタイム画像と合わせて前記第２のデバイスのディスプレイに表示される追加情報を含む、請求項１１に記載のコンピュータ実装方法。
【請求項１５】
前記テンプレートは、前記第１のデバイスから、前記コンテンツ識別子、前記仮想オブジェクトコンテンツ、及び前記コンテンツ識別子に関するメタデータを受け取るように構成される、請求項１１に記載のコンピュータ実装方法。
【請求項１６】
前記コンテンツ識別子の第１のフォーマットを前記コンテンツ識別子の第２のフォーマットに変換し、
認識したコンテンツ識別子を前記第２のデバイスで追跡するための前記コンテンツ識別子の数学的ハッシュを生成し、
前記仮想オブジェクトコンテンツの特性を判断し、
他のテンプレートに関連付けられた他の相互作用的な特性に対応する前記仮想オブジェクトコンテンツの前記特性に基づいて、前記仮想オブジェクトコンテンツを前記他のテンプレートにマッピングし、
前記仮想オブジェクトの前記特性に関する前記他の相互作用的な特性の表示を前記第２のデバイスに生成する、
をさらに備える、請求項１２に記載のコンピュータ実装方法。
【請求項１７】
前記特性は、色、アニメーション、およびオブジェクトの種類の少なくとも一つを備える、請求項１６に記載のコンピュータ実装方法。
【請求項１８】
前記第２のデバイスから受け取った分析データに基づいて分析結果を生成して、前記分析結果を前記体験コンテンツデータセット生成部に提供し、
前記分析結果に基づいて拡張体験コンテンツデータセットを生成する、
をさらに備える、請求項１２に記載のコンピュータ実装方法。
【請求項１９】
前記コンテンツ識別子として認識された物理オブジェクトに対する前記第２のデバイスの位置に基づいて、前記第２のデバイスのディスプレイにレンダリングすべき前記体験コンテンツデータセットを用いて仮想オブジェクトモデルを生成し、
前記第２のデバイスで撮影した前記物理オブジェクトのリアルタイム画像と関係する前記仮想オブジェクトモデルに対応する前記仮想オブジェクトを視覚化し、前記仮想オブジェクトモデルが、前記物理オブジェクトの画像と関連付けられること、
をさらに備える、請求項１１に記載のコンピュータ実装方法。
【請求項２０】
マシンの１つ以上のプロセッサが命令を実行した場合に、
第１のデバイスから、コンテンツ識別子と、仮想オブジェクトコンテンツと、前記仮想オブジェクトコンテンツの相互作用的な特性に対応するテンプレートの選択とを受け取り、
前記コンテンツ識別子、仮想オブジェクトコンテンツ、及び前記選択されたテンプレートに基づいて体験コンテンツデータセットを生成し、
前記選択されたテンプレートに対応する相互作用的な特性を生成するように構成された第２のデバイスに、前記体験コンテンツデータセットを提供すること、
を含む動作を前記マシンに実行させる命令を備える、非一時的なマシン可読媒体。